(57)【要約】【課題】未熟練者でも容易に、かつ、シワを生じさせることなく床面等に貼着することができ、床面等から剥がしたときでも床面等に汚れが残ることがなく、剥がした後も繰り返し使用することができ、更には床面等とマットの縁部との間に段差が生じないようにしたマットを提供する。【解決手段】透明カバー層２と、印刷を施した印刷層３と、支持体層５と、接着剤層７と、ミクロ吸盤層９とを、上側よりこの順序で配設してなることを特徴とするマット。マットの縁部に傾斜面を形成する。マットの縁部に傾斜面を備えた縁部部材を固定する。【選択図】図１
0003131788.tif 000002
【実用新案登録請求の範囲】
【請求項１】
透明カバー層と、印刷を施した印刷層と、支持体層と、接着剤層と、ミクロ吸盤層とを、上側よりこの順序で配設してなることを特徴とするマット。
【請求項２】
マットの縁部に傾斜面を形成したことを特徴とする請求項１に記載のマット。
【請求項３】
マットの縁部に傾斜面を備えた縁部部材を固定したことを特徴とする請求項１に記載のマット。
【考案の詳細な説明】
【技術分野】
【０００１】
本考案は、パチンコ店その他の娯楽施設、ホテル、駅舎等における主として床面に配設されるマットに関するものである。
【背景技術】
【０００２】
このようなマットとしては、例えば特開平１１−１３７４０３号公報に示すように、下面に粘着剤を備えてなるものが従来より使用されている。
【特許文献１】特開平１１−１３７４０３号公報
【考案の開示】
【考案が解決しようとする課題】
【０００３】
しかるに、上記従来のマットにおいては、次のような問題がある。
【０００４】
（イ）下面の粘着剤により床面に粘着させるようにしているため、床面における所定の位置にマットを正確に貼着する作業には熟練を要する。
【０００５】
（ロ）床面にマットを貼着する際に、該マットにシワが生じやすい。
【０００６】
（ハ）床面に粘着させたマットを剥がしたときに、床面に粘着剤が残るため、床面から粘着剤を除去する作業が面倒である。
【０００７】
（ニ）床面とマットの縁部との間に段差が生ずるため、該段差が台車を走行させる際の妨げになり、或いは歩行時に人がつまずく原因となるおそれがある。
【０００８】
本考案は、上記従来のマットにおける上述の如き問題を解決し、未熟練者でも容易に、かつ、シワを生じさせることなく床面等に貼着することができ、床面等から剥がしたときでも床面等に汚れが残ることがなく、剥がした後も繰り返し使用することができ、更には床面等とマットの縁部との間に段差が生じないようにしたマットを提供しようとしてなされたものである。
【課題を解決するための手段】
【０００９】
上記課題を解決するために、本考案は、下記のマットを提供する。
【００１０】
（１）透明カバー層と、印刷を施した印刷層と、支持体層と、接着剤層と、ミクロ吸盤層とを、上側よりこの順序で配設してなることを特徴とするマット（請求項１）。
【００１１】
（２）マットの縁部に傾斜面を形成する（請求項２）。
【００１２】
（３）マットの縁部に傾斜面を備えた縁部部材を固定する（請求項３）。
【考案の効果】
【００１３】
［請求項１の考案］
請求項１の考案は、下記の如き優れた効果を発揮する。
【００１４】
（ａ）マットは、最下層にミクロ吸盤層を備えているため、未熟練者でも容易に、かつ、シワを生じさせることなく、床面等に貼着することができる。
【００１５】
（ｂ）マットを床面等から容易に剥がすことができ、マットを床面等から剥がしたときでも床面等に汚れが残ることがない。
【００１６】
（ｃ）マットを床面等から剥がした後、該マットを繰り返し使用することができる。
【００１７】
（ｄ）印刷を施した印刷層の表面に透明カバー層が配設されているため、印刷は汚れ、傷等から保護される。
【００１８】
［請求項２の考案］
マットの縁部に傾斜面を形成したため、台車の走行時、人の歩行時等の妨げになるおそれはない。
【００１９】
［請求項３の考案］
マットの縁部に傾斜面を備えた該マットとは別体の縁部部材を固定したため、上記請求項２の考案と同様の効果を発揮する。
【考案を実施するための最良の形態】
【００２０】
本考案によるマット１は、透明カバー層２と、印刷を施した印刷層３と、支持体層５と、接着剤層７と、ミクロ吸盤層９とを、上側よりこの順序で配設してなる。
【００２１】
透明カバー層２は、一例として、純度の高い塩化ビニルの透明層とする。
【００２２】
印刷を施した印刷層３は、一例として、白色の塩化ビニル層の上面に所望の印刷を施してなるものとする。
【００２３】
支持体層５は、一例として、ガラス繊維布層１１と、バック層１３とバック層１５とを、上側よりこの順序で配設してなるものとする。
【００２４】
ガラス繊維布層１１は、寸法安定性を高める。
【００２５】
バック層１３、１５は、一例として、それぞれ純度の低い塩化ビニル層とする。
【００２６】
接着剤層７は、ミクロ吸盤層９を支持体層５に接着するものである。
【００２７】
本考案におけるミクロ吸盤層９は、直径３００μｍ以下の多数の凹状陥没穴を有する厚さ３００μｍ以下の柔軟な吸着性発泡層をいう。
【００２８】
ミクロ吸盤層９は、一例として、アクリル酸共重合体エマルジョンに、整泡剤と、増粘剤と、起泡剤と、硬化剤と、顔料とを混合し、機械的発泡機を通して、加圧空気を送入し、発泡倍率が１．２〜３倍になるように微細気泡を物理的に発生させてなる泡沫状エマルジョン液をコンマコーターにて平滑なポリエステルフィルム上に塗工、乾燥させることにより、形成される。
【００２９】
符号１７に示すものは、床面であり、マット１はミクロ吸盤層９により床面１７に吸着する。なお、床面１７は平滑であることを要する。
【００３０】
図２に示す事例においては、マット１の縁部に傾斜面１９を形成している。
【００３１】
傾斜面１９は、マット１の縁部を斜めに切断することにより形成される。
【００３２】
図３に示す事例においては、マット１の縁部に傾斜面１９’を備えた縁部部材２１を固定している。
【００３３】
縁部部材２１はマット１とは別体のものである。
【００３４】
図４は、車輪２３を備えた台車２５がマット１の傾斜面１９（１９’）に乗り上げつつある状態を示す。
【図面の簡単な説明】
【００３５】
【図１】本考案によるマットの一例を示す断面図である。
【図２】本考案によるマットの別の一例を示す断面図である。
【図３】本考案によるマットの更に別の一例を示す断面図である。
【図４】車輪を備えた台車がマットの傾斜面に乗り上げつつある状態を示す側面図である。
【符号の説明】
【００３６】
１  マット
２  透明カバー層
３  印刷層
５  支持体層
７  接着剤層
９  ミクロ吸盤層
１１  ガラス繊維布層
１３  バック層
１５  バック層
１７  床面
１９  傾斜面
１９’  傾斜面
２１  縁部部材
２３  車輪
２５  台車
【図１】
0003131788.tif 000003
【図２】
0003131788.tif 000004
【図３】
0003131788.tif 000005
【図４】
0003131788.tif 000006
【手続補正書】
【提出日】平成19年3月8日(2007.3.8)
【手続補正１】
【補正対象書類名】明細書
【補正対象項目名】００２８
【補正方法】変更
【補正の内容】
【００２８】
ミクロ吸盤層９は、一例として、アクリル酸共重合体エマルジョンに、整泡剤と、増粘剤と、起泡剤と、硬化剤と、顔料とを混合し、機械的発泡機を通して、加圧空気を送入し、発泡倍率が１．２〜３倍になるように微細気泡を物理的に発生させてなる泡沫状エマルジョン液をコンマコーター（登録商標）にて平滑なポリエステルフィルム上に塗工、乾燥させることにより、形成される。